(57)【要約】【課題】フィールド環境に適合するように無停電電源装置の入力電圧の異常判定レベルを迅速に設定できるようにする。【解決手段】管理用マスタサーバ１２は、無停電電源装置１１の運転状況や負荷状況に関するデータを収集し、電圧レベル算出手段１２ｂは、過去の一定期間分の交流入力電圧のデータをデータログから読み出し、交流入力電圧の平均値を算出した後、交流入力電圧の平均値を基準として無停電電源装置１１の過電圧レベルおよび低電圧レベルを算出し、電圧レベル設定手段１２ｃは、電圧レベル算出手段１２ｂにて算出された過電圧レベルおよび低電圧レベルを異常判定レベルとして無停電電源装置１１に設定する。【選択図】      図１
2008113487.tif 000002
【特許請求の範囲】
【請求項１】
無停電電源装置の過去の入力電圧を収集するデータ収集手段と、
前記データ収集手段にて収集された過去の入力電圧に基づいて、前記無停電電源装置の過電圧レベルおよび低電圧レベルを算出する電圧レベル算出手段と、
前記電圧レベル算出手段にて算出された過電圧レベルおよび低電圧レベルを異常判定レベルとして前記無停電電源装置に設定する電圧レベル設定手段とを備えることを特徴とする無停電電源装置の管理装置。
【請求項２】
前記電圧レベル算出手段は、前記データ収集手段にて収集された過去の一定期間分の入力電圧の平均値を算出し、前記入力電圧の平均値を基準として前記無停電電源装置の過電圧レベルおよび低電圧レベルを算出することを特徴とする請求項１記載の無停電電源装置の管理装置。
【請求項３】
無停電電源装置の過去の入力電圧を収集するステップと、
前記収集された過去の入力電圧に基づいて、前記無停電電源装置の過電圧レベルおよび低電圧レベルを算出するステップと、
前記算出された過電圧レベルおよび低電圧レベルを異常判定レベルとして前記無停電電源装置に設定するステップとをコンピュータに実行させることを特徴とする無停電電源装置の管理プログラム。
【発明の詳細な説明】
【技術分野】
【０００１】
本発明は無停電電源装置の管理装置および無停電電源装置の管理プログラムに関し、特に、無停電電源装置の過電圧および低電圧の設定方法に適用して好適なものである。
【背景技術】
【０００２】
従来の無停電電源装置では、その仕様がエンドユーザと協議して取り決められることは少なく、交流入力の異常判定レベルは、フィールド環境が考慮されることなく、出荷時にデフォルト値（例えば、１００Ｖ±１０％）に設定されている。
このため、例えば、工場の操業開始時などにおいて無停電電源装置にかかる負荷が増大し、フィールドの電源電圧が低下すると、無停電電源装置が頻繁に停電検出を行い、バッテリが十分に充電されない状態が多くなったり、バッテリの寿命の低下を引き起こしたりすることがある。
【０００３】
そこで、無停電電源装置に設定されたデフォルト値がフィールド環境の状況に合わないときは、無停電電源装置の設置場所に保守員が出向き、フィールド環境の調査を行った後、無停電電源装置に設定されたデフォルト値を変更することが行われている。
また、例えば、特許文献１には、サーバのシャットダウンの信頼性およびシステムの拡張性を向上できるようにするために、サーバ上のアプリケーションプログラムは、ネットワークカードに対して、ネットワーク経由で無停電電源装置の状態読み出しコマンドを送り、そのレスポンスにより無停電電源装置の状態を監視し、各サーバは、停電発生時にその停電状態を上記のレスポンスに基づいて検出し、設定時間の経過後に自己のシャットダウンを行う方法が開示されている。
【０００４】
また、例えば、特許文献２には、ネットワークを介して無停電電源の管理情報の設定、変更や監視が行えるようにするために、バッテリを含む電源部と、モニタリング情報記憶部および管理情報記憶部が形成されている記憶部と、イーサネット（登録商標）型のネットワーク２に接続可能であると共にＰＣに電源供給可能な電源供給線やシャットダウン信号を送信するための制御線を備えるＩ／Ｆ部と、クライアント側からの要求に対応した処理や電子メール送信処理等を行うと共に装置動作を制御する制御部とを無停電電源装置に設ける方法が開示されている。
【特許文献１】特開２００４−１７１５１１号公報
【特許文献２】特開２０００−７８２２４号公報
【発明の開示】
【発明が解決しようとする課題】
【０００５】
しかしながら、無停電電源装置の交流入力の異常判定レベルをフィールド環境の状況に合わせるために、保守員が無停電電源装置に設定されたデフォルト値を変更する方法では、無停電電源装置の設置場所に保守員が出向き、フィールド環境の調査を人手で行う必要があるため、対応が遅くなるという問題があった。
そこで、本発明の目的は、フィールド環境に適合するように入力電圧の異常判定レベルを迅速に設定することが可能な無停電電源装置の管理装置および無停電電源装置の管理プログラムを提供することである。
【課題を解決するための手段】
【０００６】
上述した課題を解決するために、請求項１記載の無停電電源装置の管理装置によれば、無停電電源装置の過去の入力電圧を収集するデータ収集手段と、前記データ収集手段にて収集された過去の入力電圧に基づいて、前記無停電電源装置の過電圧レベルおよび低電圧レベルを算出する電圧レベル算出手段と、前記電圧レベル算出手段にて算出された過電圧レベルおよび低電圧レベルを異常判定レベルとして前記無停電電源装置に設定する電圧レベル設定手段とを備えることを特徴とする。
【０００７】
また、請求項２記載の無停電電源装置の管理装置によれば、前記電圧レベル算出手段は、前記データ収集手段にて収集された過去の一定期間分の入力電圧の平均値を算出し、前記入力電圧の平均値を基準として前記無停電電源装置の過電圧レベルおよび低電圧レベルを算出することを特徴とする。
また、請求項３記載の無停電電源装置の管理プログラムによれば、無停電電源装置の過去の入力電圧を収集するステップと、前記収集された過去の入力電圧に基づいて、前記無停電電源装置の過電圧レベルおよび低電圧レベルを算出するステップと、前記算出された過電圧レベルおよび低電圧レベルを異常判定レベルとして前記無停電電源装置に設定するステップとをコンピュータに実行させることを特徴とする。
【発明の効果】
【０００８】
以上説明したように、本発明によれば、無停電電源装置が設置されるフィールド環境を考慮しつつ、無停電電源装置の異常判定レベルを自動的に設定することが可能となり、無停電電源装置に設定されたデフォルト値がフィールド環境の状況に合わない場合においても、無停電電源装置の設置場所に保守員が出向き、フィールド環境の調査を人手で行う必要がなくなることから、フィールド環境に適合した異常判定レベルを迅速に設定することが可能となる。
【発明を実施するための最良の形態】
【０００９】
以下、本発明の実施形態に係る無停電電源装置の管理装置について図面を参照しながら説明する。
図１は、本発明の一実施形態に係る無停電電源装置が適用されるシステムの概略構成を示すブロック図、図２は、本発明の一実施形態に係る無停電電源装置の概略構成を示すブロック図である。
図１において、無停電電源装置１１は工場やオフィスなどに設置され、無停電電源装置１１には電源１５から電力が供給されている。そして、無停電電源装置１１は、工場やオフィスなどの負荷１６の電源として電力を供給するとともに、管理用マスタサーバ１２およびスレーブサーバ１３、１４の電源として電力を供給することができる。また、管理用マスタサーバ１２およびスレーブサーバ１３、１４は、ＴＣＰ／ＩＰなどのネットワーク１７を介して互いに接続されるとともに、無停電電源装置１１と管理用マスタサーバ１２とは、ＲＳ−２３２Ｃなどの通信回線を介して互いに接続されている。
【００１０】
ここで、管理用マスタサーバ１２は、無停電電源装置１１の動作を監視したり管理したりすることができ、例えば、無停電電源装置１１がスレーブサーバ１３、１４をバックアップする時にネットワーク１７を介してスレーブサーバ１３、１４を正常に停止させたり、無停電電源装置１１の現在の運転状況や負荷状況の表示を行ったり、無停電電源装置１１の入力電圧や負荷電圧を収集し、データログとして保存したり時系列的にグラフ表示したりすることができる。
【００１１】
また、管理用マスタサーバ１２には、データ収集手段１２ａ、平均値算出手段１２ｂおよび電圧レベル設定手段１２ｃが設けられている。ここで、データ収集手段１２ａは、無停電電源装置１１の過去の入力電圧をデータログとして収集することができる。電圧レベル算出手段１２ｂは、データ収集手段１２ａにて収集された過去の入力電圧に基づいて、無停電電源装置１１の過電圧レベルおよび低電圧レベルを算出することができろ。例えば、データ収集手段１２ａにて収集された過去の一定期間分の入力電圧の平均値を算出し、入力電圧の平均値を基準として無停電電源装置１１の過電圧レベルおよび低電圧レベルを算出することができる。電圧レベル設定手段１２ｃは、電圧レベル算出手段１２ｂにて算出された過電圧レベルおよび低電圧レベルを異常判定レベルとして無停電電源装置１１に設定することができる。
【００１２】
なお、データ収集手段１２ａ、電圧レベル算出手段１２ｂおよび電圧レベル設定手段１２ｃは、これらの手段で行われる処理を遂行させる命令が記述されたプログラムをコンピュータに実行させることにより実現することができる。
そして、このプログラムをＣＤ−ＲＯＭなどの記憶媒体に記憶しておけば、管理用マスタサーバ１２のコンピュータに記憶媒体を装着し、そのプログラムをコンピュータにインストールすることにより、データ収集手段１２ａ、電圧レベル算出手段１２ｂおよび電圧レベル設定手段１２ｃで行われる処理を実現することができる。
【００１３】
また、データ収集手段１２ａ、電圧レベル算出手段１２ｂおよび電圧レベル設定手段１２ｃで行われる処理を遂行させる命令が記述されたプログラムをコンピュータに実行させる場合、スタンドアロン型コンピュータで実行させるようにしてもよく、ネットワーク１７に接続された複数のコンピュータに分散処理させるようにしてもよい。
また、図２に示すように、無停電電源装置１１には、交流電圧を直流電圧に変換するコンバータ１１ａ、直流電圧を交流電圧に変換するインバータ１１ｂおよび電力を蓄積するバッテリ１１ｃが設けられている。
【００１４】
そして、無停電電源装置１１は、通常時には電源１５から供給された交流電圧をコンバータ１１ａにて直流電圧に変換し、バッテリ１１ｃを充電するとともに（１）、コンバータ１１ａから出力される直流電圧をインバータ１１ｂにて交流電圧に変換し、管理用マスタサーバ１２およびスレーブサーバ１３、１４に電源として電力を供給することができる（１）。
一方、停電時には、バッテリ１１ｃから出力される直流電圧をインバータ１１ｂにて交流電圧に変換し、管理用マスタサーバ１２およびスレーブサーバ１３、１４に電源として電力を供給することにより、管理用マスタサーバ１２およびスレーブサーバ１３、１４の電源をバックアップすることができる（２）。
【００１５】
そして、図１の管理用マスタサーバ１２は、無停電電源装置１１の運転状況や負荷状況に関するデータを収集し、データログとして保存することができる。そして、管理用マスタサーバ１２において、異常判定レベルの調整操作が行われると、電圧レベル算出手段１２ｂは、過去の一定期間分の交流入力電圧のデータをデータログから読み出し、交流入力電圧の平均値を算出する。この時、無停電電源装置１１の状態ログが装置停止中または停電運転中になっている時間帯の交流入力電圧の計測値は、交流入力電圧の平均値の算出時に除外することができる。
【００１６】
そして、電圧レベル算出手段１２ｂは、交流入力電圧の平均値を基準として無停電電源装置１１の過電圧レベルおよび低電圧レベルを算出し、電圧レベル設定手段１２ｃは、電圧レベル算出手段１２ｂにて算出された過電圧レベルおよび低電圧レベルを異常判定レベルとして無停電電源装置１１に設定することができる。
なお、電圧レベル算出手段１２ｂにて算出された過電圧レベルおよび低電圧レベルが無停電電源装置１１の安定動作範囲から外れた場合には、無停電電源装置１１の安定動作範囲内に収まるように過電圧レベルおよび低電圧レベルを調整するとともに、そのことをコメントとして表示することができる。
【００１７】
これにより、無停電電源装置１１が設置されるフィールド環境を考慮しつつ、無停電電源装置１１の異常判定レベルを自動的に設定することが可能となり、無停電電源装置１１に設定されたデフォルト値がフィールド環境の状況に合わない場合においても、無停電電源装置１１の設置場所に保守員が出向き、フィールド環境の調査を人手で行う必要がなくなることから、フィールド環境に適合した異常判定レベルを無停電電源装置１１に迅速に設定することが可能となる。
【００１８】
図３は、本発明の一実施形態に係る無停電電源装置の設定電圧の設定変更画面の一例を示す図、図４は、本発明の一実施形態に係る無停電電源装置の設定電圧の演算結果画面の一例を示す図、図５は、本発明の一実施形態に係る無停電電源装置の設定電圧の設定変更操作画面の一例を示す図である。
図３において、管理用マスタサーバ１２上で異常判定レベルの調整操作を行う場合、設定電圧の設定変更画面が管理用マスタサーバ１２上で表示される。そして、設定変更画面上で自動設定を選択し、平均値演算ボタンをクリックすると、過去の一定期間分の交流入力電圧Ｌ０の平均値が電圧レベル算出手段１２ｂにて算出され、図４に示すように、その平均値が演算結果画面上に表示され、ＯＫボタンをクリックすると、演算結果画面が閉じられる。
【００１９】
そして、交流入力電圧Ｌ０の平均値が電圧レベル算出手段１２ｂにて算出されると、この交流入力電圧Ｌ０の平均値をフィールドでの定格電圧として、無停電電源装置１１の過電圧レベルＬ２および低電圧レベルＬ１が算出される。そして、図３の設定変更画面上で設定変更ボタンをクリックすると、電圧レベル算出手段１２ｂにて算出された過電圧レベルＬ２および低電圧レベルＬ１が異常判定レベルとして電圧レベル設定手段１２ｃによって無停電電源装置１１に設定される。
【００２０】
また、図５において、設定変更画面上で指定設定が選択されると、過去の一定期間分の交流入力電圧Ｌ０が設定変更画面上に表示されるとともに、現在の過電圧レベルＬ２および低電圧レベルＬ１が設定変更画面上に表示される。そして、設定変更画面上に表示された過電圧レベルＬ２および低電圧レベルＬ１をドラッグすることで、過電圧レベルＬ２および低電圧レベルＬ１を調整することができ、設定変更画面上で設定変更ボタンをクリックすると、その過電圧レベルＬ２および低電圧レベルＬ１が異常判定レベルとして無停電電源装置１１に設定される。
なお、過電圧レベルＬ２および低電圧レベルＬ１の定変更画面上での移動範囲は、無停電電源装置１１の安定動作範囲内に収まるように設定することができ、例えば、定格電圧が１００Ｖの場合、８５〜１１５Ｖの範囲内で過電圧レベルＬ２および低電圧レベルＬ１の設定変更を行うことができる。
【図面の簡単な説明】
【００２１】
【図１】本発明の一実施形態に係る無停電電源装置が適用されるシステムの概略構成を示すブロック図である。
【図２】本発明の一実施形態に係る無停電電源装置の概略構成を示すブロック図である。
【図３】本発明の一実施形態に係る無停電電源装置の設定電圧の設定変更画面の一例を示す図である。
【図４】本発明の一実施形態に係る無停電電源装置の設定電圧の演算結果画面の一例を示す図である。
【図５】本発明の一実施形態に係る無停電電源装置の設定電圧の設定変更操作画面の一例を示す図である。
【符号の説明】
【００２２】
１１  無停電電源装置
１１ａ  コンバータ
１１ｂ  インバータ
１１ｃ  バッテリ
１２  管理用マスタサーバ
１２ａ  データ収集手段
１２ｂ  電圧レベル算出手段
１２ｃ  電圧レベル設定手段
１３、１４  スレーブサーバ
１５  電源
１６  負荷
１７  ネットワーク
【図１】
2008113487.tif 000003
【図２】
2008113487.tif 000004
【図３】
2008113487.tif 000005
【図４】
2008113487.tif 000006
【図５】
2008113487.tif 000007